(57)【要約】【課題】聴取者に対し、理解しやすいコンテンツを再生させることができるコンテンツ再生制御装置、コンテンツ再生制御方法及びそのプログラムを提供する。【解決手段】コンテンツ再生制御装置１００は、コンテンツを提供する対象となる聴取者の属性を取得する取得手段（１０６、１０７、１０８）と、取得手段により取得された聴取者の属性に基づいて、コンテンツを再生する際の言語を決定する決定手段（１１２）と、決定手段で決定された決定言語の音声によりコンテンツを再生する再生制御手段（１１２）と、を備える。【選択図】      図２
2014011676.tif 000002
【特許請求の範囲】
【請求項１】
コンテンツの再生を制御するコンテンツ再生制御装置であって、
コンテンツを提供する対象となる聴取者の属性を取得する取得手段と、
当該取得手段により取得された前記聴取者の属性に基づいて、前記コンテンツを再生する際の言語を決定する決定手段と、
当該決定手段で決定された決定言語の音声により前記コンテンツを再生する再生制御手段と
を備えることを特徴とするコンテンツ再生制御装置。
【請求項２】
前記取得手段は、前記聴取者の音声を取得する音声取得手段を含み、
前記決定手段は、前記音声取得手段により取得された前記聴取者の属性としての前記聴取者の音声に基づいて、前記コンテンツを再生する際の言語を決定する
ことを特徴とする請求項１記載のコンテンツ再生制御装置。
【請求項３】
前記取得手段は、前記聴取者を撮像する撮像手段を含み、
前記決定手段は、前記撮像手段により撮像された前記聴取者の画像に基づいて、前記聴取者の属性としての人種及び又は国籍を判別し、前記判別された人種及び又は国籍に基づいて前記コンテンツを再生する際の言語を決定する
ことを特徴とする請求項１又は２記載のコンテンツ再生制御装置。
【請求項４】
前記聴取者が所定の範囲内にいるか否かを検出する人感センサ
を更に備え、
前記取得手段は、前記人感センサにより前記聴取者が所定の範囲内にいると検出された場合に、前記聴取者の属性を取得する
ことを特徴とする請求項１〜３何れか記載のコンテンツ再生制御装置。
【請求項５】
前記再生制御手段は、前記決定言語に対応するコンテンツを検索する検索手段を含み、
当該検索手段により、前記決定言語に対応するコンテンツが検索されなかった場合に、コンテンツを前記決定言語に対応するコンテンツに変換する
ことを特徴とする請求項１〜４何れか記載のコンテンツ再生制御装置。
【請求項６】
前記再生制御手段は、前記決定言語に対応するコンテンツを検索する検索手段を含み、
当該検索手段により、前記決定言語に対応するコンテンツが検索された場合に、検索されたコンテンツを再生するコンテンツとして選択する
ことを特徴とする請求項１〜４何れか記載のコンテンツ再生制御装置。
【請求項７】
前記コンテンツは、前記決定された言語の音声とともに再生される映像を含み、
前記再生制御手段は、前記コンテンツを映像と同期させて再生させる
ことを特徴とする請求項１〜６何れか記載のコンテンツ再生制御装置。
【請求項８】
当該コンテンツ再生制御装置は、前記映像をスクリーンに投影することで表示する映像投影部を備える投影装置であることを特徴とする請求項１〜７何れか記載のコンテンツ再生制御装置。
【請求項９】
当該コンテンツ再生制御装置は、前記映像を表示する映像表示部を備える表示装置であることを特徴とする請求項１〜７何れか記載のコンテンツ再生制御装置。
【請求項１０】
コンテンツの再生を制御するコンテンツ再生制御方法であって、
コンテンツを提供する対象となる聴取者の属性を取得する取得工程と、
当該取得工程により取得された前記聴取者の属性に基づいて、前記コンテンツを再生する際の言語を決定する決定工程と、
当該決定工程で決定された決定言語の音声により前記コンテンツを再生する再生制御工程と
を含むことを特徴とするコンテンツ再生制御方法。
【請求項１１】
コンテンツの再生を制御する装置が内蔵するコンピュータが実行するプログラムであって、
上記コンピュータを、
コンテンツを提供する対象となる聴取者の属性を取得する取得手段、
当該取得手段により取得された前記聴取者の属性に基づいて、前記コンテンツを再生する際の言語を決定する決定手段、
当該決定手段で決定された決定言語の音声により前記コンテンツを再生する再生制御手段
として機能させることを特徴とするプログラム。
【発明の詳細な説明】
【技術分野】
【０００１】
本発明は、コンテンツ再生制御装置、コンテンツ再生制御方法及びそのプログラムに関する。
【背景技術】
【０００２】
聴取者に対して広告内容等のコンテンツを提示する際の印象を高めるために、特許文献１に記載の発明のように、人型に成形されたスクリーンに、そのスクリーン輪郭に合わせた形状のコンテンツ映像を投影するという技術が考えられている。
【先行技術文献】
【特許文献】
【０００３】
【特許文献１】特開２０１１−１５０２２１号公報
【発明の概要】
【発明が解決しようとする課題】
【０００４】
上記特許文献１に記載された技術は、聴取者に対してコンテンツを用意された言語でアナウンスするものであり、そのコンテンツの言語を理解できない聴取者はコンテンツが何の情報を説明しているものなのかどうか理解することが困難となる。
【０００５】
本発明は上記のような実情に鑑みてなされたもので、その目的とするところは、聴取者が理解できる言語を認識し、その聴取者の理解できる言語を用いてわかりやすくコンテンツを再生するコンテンツ再生制御装置、コンテンツ再生制御方法及びそのプログラムを提供することである。
【課題を解決するための手段】
【０００６】
本発明の一態様は、コンテンツの再生を制御するコンテンツ再生制御装置であって、コンテンツを提供する対象となる聴取者の属性を取得する取得手段と、当該取得手段により取得された前記聴取者の属性に基づいて、前記コンテンツを再生する際の言語を決定する決定手段と、当該決定手段で決定された決定言語の音声により前記コンテンツを再生する再生制御手段とを備えることを特徴とする。
【発明の効果】
【０００７】
本発明によれば、聴取者が理解できる言語を認識し、その聴取者の理解できる言語を用いて、わかりやすくコンテンツを再生するコンテンツ再生制御装置、コンテンツ再生制御方法及びそのプログラムを提供できる。
【図面の簡単な説明】
【０００８】
【図１】本発明の一実施形態に係るコンテンツ再生制御装置を含むシステムの使用状況を示す概略図である。
【図２】同実施形態に係るコンテンツ再生制御装置の機能の概略構成を示すブロック図である。
【図３】同実施形態に係るコンテンツ再生制御装置の動作の処理内容を示すフローチャートである。
【図４】同実施形態に係るコンテンツ再生制御装置の記憶部が備える人種／国籍−言語テーブルの例である。
【図５】同実施形態に係るコンテンツ再生制御装置の動作のうち、再生コンテンツの準備処理を説明するフローチャートである。
【図６】同実施形態に係るコンテンツ再生制御装置の動作のうち、決定言語に対応するコンテンツが有った場合、その言語に対応する再生コンテンツを選択する動作概念を説明するための図である。
【図７】同実施形態に係るコンテンツ再生制御装置の動作のうち、決定言語に対応するコンテンツがなかった場合、その言語に対応する再生コンテンツに変換する動作概念を説明するための図である。
【発明を実施するための形態】
【０００９】
以下、本発明の一実施形態によるコンテンツ再生制御装置について図面を参照して説明する。図１は、この発明の一実施形態によるコンテンツ再生制御装置１００を含むシステムの使用状況を示す概略図である。
【００１０】
同図に示すように、コンテンツ再生制御装置１００は、例えば無線通信等を用いてコンテンツ供給装置であるサーバ２００に接続され、サーバ２００はコンテンツ映像再生装置であるプロジェクタ３００に接続されている。このプロジェクタ３００の出力光照射方向側にはスクリーン３１０が設置されている。プロジェクタ３００は、サーバ２００から供給されるコンテンツを受信して出力光にてコンテンツの映像内容として、スクリーン３１０に例えば人物画像等映像３２０が投影される。
【００１１】
コンテンツ再生制御装置１００はマイク１０７とスピーカ１１０とを備えている。コンテンツ再生制御装置１００はこのマイク１０７により聴取者の会話の音（音声）を認識し、認識した音声から会話で利用されている言語を判別する。そして、コンテンツ再生制御装置は判別された言語でサーバ２００に記憶されている音声のコンテンツを検索し、その言語のコンテンツを、スピーカ１１０を用いて音声として聴取者に提供する。（詳しくは後述する。）
【００１２】
サーバ２００は画像のコンテンツや音声のコンテンツを記憶している。そして、サーバ２００はコンテンツ再生制御装置１００からの指令に基づいてプロジェクタ３００及びコンテンツ再生制御装置１００にコンテンツを供給する。
【００１３】
プロジェクタ３００は例えば、アレイ状に配列された複数、例えばＸＧＡ（横１０２４画素×縦７６８画素）個の微小ミラーの各傾斜角度を個々に高速でオン／オフ動作して表示動作することで、その反射光により光像を形成する表示素子であるＤＭＤを利用したＤＬＰ（Ｄｉｇｉｔａｌ  Ｌｉｇｈｔ  Ｐｒｏｃｅｓｓｉｎｇ）（登録商標）方式のデータプロジェクタである。
【００１４】
スクリーン３１０は、投影するコンテンツの形状になるように樹脂板が切断されて作成されている。この背面投射型のプロジェクタ用のスクリーンフィルムが投影面に貼付され、背面投射用のスクリーンとしての機能を有する。このスクリーンフィルムは、市販されている高輝度、高コントラストを有するものを用いることにより、日中の明るさであっても、また、明るい居室内であっても、スクリーンに投影されたコンテンツを視認することができる。
【００１５】
次に図２により本実施形態に係るコンテンツ制御装置１００の概略機能構成について説明する。
【００１６】
同図中、符号１１２は中央制御部（ＣＰＵ）である。このＣＰＵ１１２がコンテンツ再生制御装置１００での動作すべてを統括して制御する。
【００１７】
このＣＰＵ１１２は、記憶部１１４と直接接続される。記憶部１１４は全体制御プログラム１１４Ａ、人種―言語テーブル１１４Ｂ、音声合成用素材データ１１４Ｃ等を記憶すし、その他ワーク用領域１１４Ｄ等を備える。
【００１８】
全体制御プログラム１１４Ａは、ＣＰＵ１１２が実行する動作プログラムや各種定型データ等である。
【００１９】
人種／国籍―言語テーブル１１４Ｂは判別された聴取者の人種／国籍に対応する言語の対応関係を示すテーブルである。（詳しくは後述する。）
音声合成用素材データ１１４Ｃは、言語翻訳したコンテンツのテキストデータを、適切なフォーマットの音声ファイルとして作製するのに用いられる音声合成素材のデータである。（詳しくは後述する。）
その他ワーク用データ領域１１４Ｄは、ＣＰＵ１１２のワークメモリとして機能する。
【００２０】
ＣＰＵ１１２は、上記記憶部１１４に記憶されているプログラムや定型データ等を読出し、その他ワーク用領域１１４Ｄに展開して当該プログラムを実行することにより、このコンテンツ再生制御装置を統括して制御する。
【００２１】
上記ＣＰＵ１１２はさらに、操作部１０３と接続される。操作部１０３は図示しないリモコン等からのキー操作信号を受信し、当該キー操作信号をＣＰＵ１１２に供給する。ＣＰＵ１１２は操作部１０３からの操作信号に応じて電源の投入やモード切替え等の各種動作を実行する。
【００２２】
上記ＣＰＵ１１２はさらに、表示部１０４と接続される。表示部１０４は操作部１０３からの操作信号に対応した種々の操作状況等を表示する。
【００２３】
上記ＣＰＵ１１２はさらに、通信部１０１、コンテンツ入力部１０２と接続される。
通信部１０１は例えば無線通信を利用して、ＣＰＵ１１２からの命令に基づいて、所望するコンテンツがコンテンツ供給装置２００内にあるか否かをサーチするサーチ命令等をサーバ２００に送信する。尚、有線通信を利用して、コンテンツのサーチ命令等をサーバ２００に送信してもよいことは勿論である。
コンテンツ入力部１０２はサーバ２００から供給されるコンテンツを無線通信又は有線通信により受け取り、ＣＰＵ１１２にそのコンテンツを渡す。
【００２４】
上記ＣＰＵ１１２はさらに、人感センサ部１０５、音声入力部１０６、音声出力部１０９及び映像出力部１１１と接続される。
人感センサ部１０５は例えば赤外線センサ等、聴取者がコンテンツ再生制御装置の前の所定の範囲内にいるか否かを感知するセンサである。人感センサ１０５からの検出出力が予め設定したしきい値レベル以上となった場合、ＣＰＵ１１２は聴取者がコンテンツ再生制御装置の前の所定の範囲内にいると判断する。
【００２５】
音声入力部１０６はマイク１０７が接続される。音声入力部１０６はマイク１０７を用いてコンテンツ再生制御装置の設置されている場所の周辺の音を拾い、取得した音を音声データとしてＣＰＵ１１２に供給する。
音声出力部１０９にはスピーカ１１０が接続され、このスピーカ１１０を用いてサーバ２００から供給された音声ファイルを実際の音声に変換して音声発生させる。
【００２６】
映像出力部１１１はプロジェクタ３００に、サーバ２００から供給されたコンテンツのうち画像のコンテンツのデータを供給する。
【００２７】
上記ＣＰＵ１１２には、さらに、撮像部１０８が接続される。
撮像部１０８は、コンテンツ再生制御装置１００の前の所定の範囲の画角で、コンテンツ再生制御装置の周囲の画像を撮影し、取得された画像データをＣＰＵ１１２に供給する。
【００２８】
上記ＣＰＵ１１２はさらに、電源制御部１１３を備える。
電源制御部１１３は、コンテンツ再生制御装置を構成する全ての構成装置に対する電源供給を個別に制御し、適切に省電力が図れるように制御する。
【００２９】
次に上記実施形態の動作について説明する。
なお以下に示す動作は、上述した如くＣＰＵ１２がプログラムメモリ１３Aから読出した動作プログラムや定型データ等をワーク用領域１１４Ｄに展開した上で実行するものである。全体制御プログラムとして記憶される動作プログラム等は、このコンテンツ再生制御装置１００の工場出荷時に記憶されていたもののみならず、ユーザがこのコンテンツ再生制御装置１００を購入後に通信部１０１を介して図示しないパーソナルコンピュータ等からインターネット経由でダウンロードしたバージョンアップ用のプログラム等によりインストールした内容を含む。
【００３０】
図３は、本実施形態に係るコンテンツ再生制御装置の動作の処理内容を示すフローチャートである。
ＣＰＵ１１２は、その当初には、操作部３により電源をオンする図示しないリモートコントローラ等からのキー操作があるのを待機する（ステップＳ１０１）。このときにＣＰＵ１１２は、電源オンに必要な部分を除く回路への電力供給を電源制御部１１３により停止させている。
【００３１】
電源をオンするキー操作がリモートコントローラでなされた時点でＣＰＵ１１２は、上記ステップＳ１０１でそれを判断すると、所定の初期設定処理を実行した後に（ステップＳ１０２）、電源制御部１１３により人感センサ（赤外線センサ等）１０５への電源供給を開始させる（ステップＳ１０３）。
【００３２】
以後ＣＰＵ１１２は、人感センサ１０５からの検出出力が予め設定したしきい値レベル以上となるのを繰返し判断することで、当該コンテンツ再生制御装置１００の前の所定の範囲内に再生コンテンツを提供すべき対象となる人（聴取者）がいるか否かを感知するのを待機する（ステップＳ１０４）。
ステップ１０４で、例えば、所定の時間内に人が感知できない場合、後述するステップＳ１３０に進む。
【００３３】
ステップ１０４で、人感センサ１０５で人を感知した場合、ＣＰＵ１１２は、電源制御部１１３にマイク１０７への電力供給を開始するように指示する（ステップＳ１０５）。
【００３４】
そして、ＣＰＵ１１２は、聴取者の属性を表す情報を取得するために、マイク１０５で所定のレベル以上の音が取得されるか否かを判断する（ステップＳ１０６）。
ステップ１０６で、所定の時間内に所定のレベル以上の音が取得されなかった場合、後述するステップＳ１２０に進む。
【００３５】
ステップ１０５で、マイク１０５で所定のレベル以上の音が取得されたと判断した場合、ＣＰＵ１１２は、取得した音から人の音声部と思われる部分を分離抽出する（ステップＳ１０７）。この処理は、周波数解析等の既存のアルゴリズムで行えばよい。
【００３６】
ＣＰＵ１１２は、音声部と思われる部分が分離抽出されたか否かを判断する。（ステップＳ１０８）。
ステップ１０８で、音声部と思われる部分が分離抽出されなかったと判断された場合、後述するステップＳ１２０に進む。
【００３７】
ステップＳ１０８で、音声部があると判断された場合、詳細な音声認識処理を行う。（ステップＳ１０９）。この処理も、音声認識用の既存のアルゴリズムで行えばよい。
ＣＰＵ１１２は、音声認識の結果、その音声の言語（英語、中国語、日本語、等）が認識可能か否か判断する（ステップＳ１１０）。
ステップ１１０で、音声の言語が認識可能でないと判断された場合、後述するステップＳ１２０に進む。
【００３８】
ステップＳ１１０で、言語が認識可能であると判断された場合、その言語を特定し（ステップＳ１１１）、聴取者が使っている言語として、コンテンツを再生する際の言語として決定する。（ステップＳ１１２）。
【００３９】
次に、上記で、ステップＳ１０６で、所定の時間内に所定のレベル以上の音が取得されなかった場合、ステップＳ１０８で、分離抽出された部分に、音声部がないと判断された場合、ステップＳ１１０で、音声の言語が認識可能でないと判断された場合に行われるステップＳ１２０以降処理の説明を行う。
ステップＳ１２０以降の処理は、音声による言語決定ができないと判断された場合の処理である。
【００４０】
まず、ＣＰＵ１１２は、電源制御部１１３に撮像部１０８への電力供給を開始するように指示する（ステップＳ１２０）。
そして、ＣＰＵ１１２は、コンテンツ再生制御装置の前の所定の範囲の画角で、人感センサで検知された人物の画像を撮像する（ステップＳ１２１）。この時、撮像は静止画としての撮像としてもよいが、動画として撮像するようにしてもよい。
【００４１】
そして、ＣＰＵ１１２は、撮像された画像から画像処理により人物と思われる部分を抽出する（ステップＳ１２２）。
そして、ＣＰＵ１１２は、その人物の顔、眼の色、髪の毛の色、肌の色、服装等の特徴を抽出し、その特徴から、人物の人種（例えば、白人、黒人、ヒスパニック、アジア系）あるいは、国籍（例えば、アメリカ、ブラジル、フランス、中国）を判別する（ステップＳ１２３）。
【００４２】
そして、ある程度の確かさで、人種／国籍が判別されたか否かを判定する（ステップＳ１２４）。
ステップ１２４で、人種／国籍が判別されなかったと判断された場合、後述するステップＳ１３０に進む。
【００４３】
ステップＳ１２４で、人種／国籍が判別されたと判断された場合、ＣＰＵ１１２は、その人種／国籍から記憶部１１４に記憶されている人種／国籍−言語テーブル１１４Ｂを参照して（ステップＳ１２５）、その人種／国籍に対応する言語を決定する（ステップＳ１１２）。
【００４４】
図４は、人種／国籍−言語テーブルの例を示すもので、図４（ａ）は、人種−言語テーブルの例、図４（ｂ）は、国籍−言語テーブルの例である。
例えば、人物の画像より、聴取者が白人であると判別された場合、コンテンツを再生する際の言語として英語と決定する。
また、例えば、人物の画像より、聴取者がブラジル人であると判別された場合、コンテンツを再生する際の言語としてポルトガル語と決定する。
【００４５】
次に、上記で、ステップＳ１０４で、対象となる聴取者が検出されなかった場合、ステップＳ１２４で、人種／国籍が判別されなかったと判断された場合に行われるステップＳ１３０の処理の説明を行う。
ステップＳ１３０の処理は、言語の特定を行えなかった場合の処理である。
【００４６】
この場合は、予め設定されているデフォルトの言語、例えば、英語を、コンテンツを再生する際の言語として決定する（ステップＳ１３０）。
【００４７】
次に、上記ステップＳ１１２、または、ステップＳ１３０で、コンテンツを再生する際の言語が決定された際に続けて行われるステップＳ１４０以降の処理を説明する。
ステップＳ１４０は、決定された再生コンテンツを準備する処理であって、図５を用いて、詳述する。
【００４８】
サブルーチンステップＳ１４０において、まず、ＣＰＵ１１２は、決定言語に対応するコンテンツが、コンテンツ供給装置２００内にあるか否かを検索する（ステップＳ１４１）。
【００４９】
コンテンツサ供給装置２００内に決定言語に対応するコンテンツが有るか否かを判断し（ステップＳ１４２）、コンテンツ供給装置２００内に決定言語に対応するコンテンツが有った場合、その言語対応する再生コンテンツを選択する（ステップＳ１４３）。
【００５０】
このときの動作概念図を図６に示す。
そして、このサブルーチンを抜けて、図３のステップＳ１５０の処理に戻る。
【００５１】
サブルーチンステップＳ１４２において、コンテンツサ供給装置２００内に決定言語に対応するコンテンツがないと判断された場合、ＣＰＵ１１２は、コンテンツサ供給装置２００から、推奨の（第１順位の）コンテンツを読み込む（ステップＳ１４４）。
その際、読み込むコンテンツとして、音声ファイルではなく、テキストデータであることが望ましいが、コンテンツサ供給装置２００が持っているコンテンツデータ形式による。読み込むコンテンツが音声ファイルであった場合は、テキスト化処理を行うようにすればよい。
【００５２】
次に、ＣＰＵ１１２は、読み込んだコンテンツを決定言語に翻訳する（ステップＳ１４５）。その際に用いる翻訳用の辞書は、コンテンツ再生制御装置１００が記憶部１１４内に持っているようにしてもよい。
また、通信部１０１により、外部にある図示しない翻訳サーバを呼び出して、そこの辞書を用いて翻訳させるようにしてもよい。
また、翻訳サーバがコンテンツサ供給装置２００であってもよい。
【００５３】
次に、ＣＰＵ１１２は、翻訳されたコンテンツを記憶部１１４内に記憶される音声合成用素材データ１１４Ｃを用いて、音声合成する（ステップＳ１４６）。
そして、適切なフォーマットで再生する音声ファイルとして、再生コンテンツファイルを作成する（ステップＳ１４７）。
【００５４】
このようなステップＳ１４４〜Ｓ１４７の動作概念図を図７に示す。
そして、このサブルーチンを抜けて、図３のステップＳ１５０の処理に戻る。
【００５５】
次に、上記サブルーチン処理を抜けた後に行われるステップＳ１５０以降の処理を説明する。
ＣＰＵ１１２は、上記サブルーチンステップＳ１４０で準備されたコンテンツを、音声出力部１０９を通して、スピーカ１１０より出力する（ステップＳ１５０）。
【００５６】
この時、コンテンツが映像を含むものの場合、準備したコンテンツの映像部分をプロジェクタ等のコンテンツ映像再生装置３００に出力して、音声と同期させるように再生する。例えば、音声合成する場合は、動画と同期が取れるように合成し、同期再生させる。
【００５７】
そして、コンテンツの再生を行ったのち、操作部１０３に操作が行われたか否かを検出する（ステップＳ１６０）。
ステップＳ１６０で操作が行われていないと判断された場合、ＣＰＵ１１２は、ステップＳ１５０に戻り、準備コンテンツの再生を繰り返す。また、繰り返す回数を予め決めておくようにしてもよい。
【００５８】
ステップＳ１６０で操作が行われたと判断された場合、ＣＰＵ１１２は、その操作が電源オフ操作であるか否かを判断する（ステップＳ１６１）。
ステップＳ１６１で、操作が電源オフ操作であると判断された場合、ＣＰＵ１１２は、所定の電源オフ処理を行い（ステップＳ１６２）、上記ステップＳ１０１に戻る。
【００５９】
ステップＳ１６１で、操作が電源オフ操作でないと判断された場合、ＣＰＵ１１２は、その操作に対応する処理を行い（ステップＳ１６３）、上記ステップＳ１０４に戻る。
【００６０】
以上、詳述したように、上記実施形態によれば、聴取者が理解できる言語を認識し、その聴取者の理解できる言語を用いて、コンテンツを再生するようにしたので、わかりやすくコンテンツを再生することができる。
【００６１】
また、上記実施形態によれば、聴取者が理解できる言語を認識する上で、コンテンツ再生制御装置の回りの音を取得して、聴取者が話していると思われる言語を認識するようにしたので、容易に聴取者が理解できる言語を決定することができる。
【００６２】
さらに、上記実施形態によれば、聴取者が理解できる言語を認識する上で、コンテンツ再生制御装置の回りを撮像して、取得した画像より、聴取者の属性として、人種／国籍を判別して聴取者がわかると思われる言語を決定するようにしたので、音声からの決定が困難な場合も、聴取者が理解できる言語を決定することができる。
【００６３】
また、上記実施形態では、上記コンテンツ再生制御装置は、人感センサを備え、人感センサで人を感知してから音声認識を行うようにした。
このようにすることにより、人がいない場合に処理の重い音声認識が無用に行われるようなことを防ぐことができる。また、撮像部による画像処理等の重い処理を行わなくても、人がいるかどうかを簡便に検出することができる。
なお、人感センサを備えずに、音声認識又は画像認識処理を行わせるようにしてもよい。
【００６４】
また、上記実施形態では、まず、音声認識により言語決定するようにし、決定できる場合は、撮像部を使った画像認識による言語決定を行わなくてもよいようにした。
このようにすることで、撮像部による処理の重い画像認識が無用に行われるようなことを防ぐことができる
【００６５】
また、上記実施形態では、音声認識を行って、言語認識が困難な場合に、撮像部を用いて画像認識を行うようなものにしたが、撮像部による処理を先に行ってもよい。
また、どちらか一方のみで言語を決定するようにしてもよい。
【００６６】
また、処理の軽さよりも言語決定の精度を優先したい場合は、音声認識による処理と画像認識による処理を並列的に行わせ、総合的に言語を決定するようにすればよい。
【００６７】
また、上記実施形態によれば、聴取者がわかると思われる言語を認識した上で、その言語のコンテンツが存在しない場合でも、コンテンツを変更して再生するようにしたので、確実に、コンテンツを聴取者が理解できるように再生することができる。
【００６８】
また、上記実施形態によれば、聴取者がわかると思われる言語を認識した上で、その言語のコンテンツが存在する場合は、適切なコンテンツを選択して再生するようにしたので、迅速に、コンテンツを聴取者が理解できるように再生することができる。
【００６９】
また、コンテンツが映像を伴うものである場合、選択／変換された音声での再生だけでなく、映像を同期するように再生するので、違和感なく、確実に、わかりやすくコンテンツを聴取者が理解できるように再生することができる。
【００７０】
また、上記実施形態では、映像と音声を伴うコンテンツの映像部分を、プロジェクタを用い、人型のスクリーンに投影して、再生するようにしたので、聴取者に、コンテンツの内容（広告内容等）を、印象をづけるように再生することができる。
【００７１】
なお、上記実施形態では、映像と音声を伴うコンテンツの映像部分を、プロジェクタを用い、人型のスクリーンに投影して、再生するようにしたが、本発明はそれに限らず、直視型の表示装置に映像部分を表示する形態にも適用できることは言うまでもない。
【００７２】
なお、上記実施形態では、簡単のために、詳述していないが、所定時間毎に、人感センサでの人がいるかどうかの検出、音声認識処理、画像認識処理を行うようにして、動的に再生言語を適切に変えるようにしてもよい。
【００７３】
また、上記実施形態では、当該コンテンツ再生制御装置１００は、コンテンツ供給装置２００、コンテンツ映像再生装置３００と別体のものとして説明した。
しかし、当該コンテンツ再生制御装置１００は、コンテンツ供給装置２００及び又はコンテンツ映像再生装置３００と一体になっているものであってもよい。
そのようにすれば、システムをよりコンパクトなものにすることができる。
【００７４】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００７５】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
コンテンツの再生を制御するコンテンツ再生制御装置であって、
コンテンツを提供する対象となる聴取者の属性を取得する取得手段と、
当該取得手段により取得された前記聴取者の属性に基づいて、前記コンテンツを再生する際の言語を決定する決定手段と、
当該決定手段で決定された決定言語の音声により前記コンテンツを再生する再生制御手段と
を備えることを特徴とするコンテンツ再生制御装置。
＜請求項２＞
前記取得手段は、前記聴取者の音声を取得する音声取得手段を含み、
前記決定手段は、前記音声取得手段により取得された前記聴取者の属性としての前記聴取者の音声に基づいて、前記コンテンツを再生する際の言語を決定する
ことを特徴とする請求項１記載のコンテンツ再生制御装置。
＜請求項３＞
前記取得手段は、前記聴取者を撮像する撮像手段を含み、
前記決定手段は、前記撮像手段により撮像された前記聴取者の画像に基づいて、前記聴取者の属性としての人種及び又は国籍を判別し、前記判別された人種及び又は国籍に基づいて前記コンテンツを再生する際の言語を決定する
ことを特徴とする請求項１又は２記載のコンテンツ再生制御装置。
＜請求項４＞
前記聴取者が所定の範囲内にいるか否かを検出する人感センサ
を更に備え、
前記取得手段は、前記人感センサにより前記聴取者が所定の範囲内にいると検出された場合に、前記聴取者の属性を取得する
ことを特徴とする請求項１〜３何れか記載のコンテンツ再生制御装置。
＜請求項５＞
前記再生制御手段は、前記決定言語に対応するコンテンツを検索する検索手段を含み、
当該検索手段により、前記決定言語に対応するコンテンツが検索されなかった場合に、コンテンツを前記決定言語に対応するコンテンツに変換する
ことを特徴とする請求項１〜４何れか記載のコンテンツ再生制御装置。
＜請求項６＞
前記再生制御手段は、前記決定言語に対応するコンテンツを検索する検索手段を含み、
当該検索手段により、前記決定言語に対応するコンテンツが検索された場合に、検索されたコンテンツを再生するコンテンツとして選択する
ことを特徴とする請求項１〜４何れか記載のコンテンツ再生制御装置。
＜請求項７＞
前記コンテンツは、前記決定された言語の音声とともに再生される映像を含み、
前記再生制御手段は、前記コンテンツを映像と同期させて再生させる
ことを特徴とする請求項１〜６何れか記載のコンテンツ再生制御装置。
＜請求項８＞
当該コンテンツ再生制御装置は、前記映像をスクリーンに投影することで表示する映像投影部を備える投影装置であることを特徴とする請求項１〜７何れか記載のコンテンツ再生制御装置。
＜請求項９＞
当該コンテンツ再生制御装置は、前記映像を表示する映像表示部を備える表示装置であることを特徴とする請求項１〜７何れか記載のコンテンツ再生制御装置。
＜請求項１０＞
コンテンツの再生を制御するコンテンツ再生制御方法であって、
コンテンツを提供する対象となる聴取者の属性を取得する取得工程と、
当該取得工程により取得された前記聴取者の属性に基づいて、前記コンテンツを再生する際の言語を決定する決定工程と、
当該決定工程で決定された決定言語の音声により前記コンテンツを再生する再生制御工程と
を含むことを特徴とするコンテンツ再生制御方法。
＜請求項１１＞
コンテンツの再生を制御する装置が内蔵するコンピュータが実行するプログラムであって、
上記コンピュータを、
コンテンツを提供する対象となる聴取者の属性を取得する取得手段、
当該取得手段により取得された前記聴取者の属性に基づいて、前記コンテンツを再生する際の言語を決定する決定手段、
当該決定手段で決定された決定言語の音声により前記コンテンツを再生する再生制御手段
として機能させることを特徴とするプログラム。
【符号の説明】
【００７６】
１００…コンテンツ再生制御装置、１０１…通信部、１０２…コンテンツ入力部、１０３…操作部、１０４…表示部、１０５…人感センサ部、１０６…音声入力部、１０７…マイク、１０８…撮像部、１０９…音声出力部、１１０…スピーカ、１１１…映像出力部、１１２…ＣＰＵ、１１３…電源制御部、１１４…記憶部、２００…サーバ、３００…プロジェクタ、３１０…スクリーン、３２０…コンテンツの内容として投影された映像。
【図２】
2014011676.tif 000003
【図３】
2014011676.tif 000004
【図４】
2014011676.tif 000005
【図５】
2014011676.tif 000006
【図６】
2014011676.tif 000007
【図７】
2014011676.tif 000008
【図１】
2014011676.tif 000009